(57)【特許請求の範囲】
【請求項１】
入力画像信号を記憶する記憶手段と、
上記記憶手段に記憶された画像信号に対して補間処理を施す補間手段と、
ｎ×ｍ倍の拡大倍率を指定する倍率指定手段と、
上記倍率指定手段からの指定拡大倍率情報に基づいて上記補間手段における補間処理を制御する制御手段と、
上記補間手段で補間処理が施された画像信号を記録媒体に印画する印画手段とを備え、
上記補間手段は、０次ホールド補間により補間演算を行う第１の補間演算手段と、３次曲線により補間演算を行う第２の補間演算手段とを備え、
上記制御手段は、上記記憶手段に記憶された画像信号に対して上記第１の補間演算手段によりｎ倍の補間演算処理を施し、その結果に対して、上記第２の補間演算手段によりｍ倍の補間演算処理を施して上記倍率指定手段で指定されたｎ×ｍ倍の拡大倍率の画像信号を得るように上記補間手段を制御することを特徴とするビデオプリンタ。
【請求項２】
入力画像信号を記憶する記憶手段と、
上記記憶手段に記憶された画像信号に対して補間処理を施す補間手段と、
ｎ×ｍ倍の拡大倍率を指定する倍率指定手段と、
上記倍率指定手段からの指定拡大倍率情報に基づいて上記補間手段における補間処理を制御する制御手段と、
上記補間手段で補間処理が施された画像信号を記録媒体に印画する印画手段とを備え、
上記補間手段は、０次ホールド補間により補間演算を行う第１の補間演算手段と、３次曲線により補間演算を行う第２の補間演算手段とを備え、
上記制御手段は、上記記憶手段に記憶された画像信号に対して上記第２の補間演算手段によりｎ倍の補間演算処理を施し、その結果に対して、上記第１の補間演算手段によりｍ倍の補間演算処理を施して上記倍率指定手段で指定されたｎ×ｍ倍の拡大倍率の画像信号を得るように上記補間手段を制御することを特徴とするビデオプリンタ。
【請求項３】
入力画像信号をｎ×ｍ倍の拡大倍率に拡大するための補間処理方法であって、
上記入力画像信号を０次ホールド補間によりｎ倍の補間演算を行う第１の補間演算処理工程と、
上記第１の補間演算処理工程の演算結果に対して、３次曲線によりｍ倍の補間演算を行う第２の補間演算処理工程とを備え、上記第１の補間演算処理工程と上記第２の補間演算処理工程とにより上記入力画像信号をｎ×ｍ倍の拡大倍率に拡大することを特徴とする補間処理方法。
【請求項４】
入力画像信号をｎ×ｍ倍の拡大倍率に拡大するための補間処理方法であって、
上記入力画像信号を３次曲線によりｎ倍の補間演算を行う第１の補間演算処理工程と、
上記第１の補間演算処理工程の演算結果に対して、０次ホールド補間によりｍ倍の補間演算を行う第２の補間演算処理工程とを備え、上記第１の補間演算処理工程と上記第２の補間演算処理工程とにより上記入力画像信号をｎ×ｍ倍の拡大倍率に拡大することを特徴とする補間処理方法。
【発明の詳細な説明】
【０００１】
【発明の属する技術分野】
本発明は、画像拡大のための補間演算機能を有するビデオプリンタ及び補間処理方法に関するものである。
【０００２】
【従来の技術】
例えば、サーマル転写方式を用いたビデオプリンタで画像を拡大して印画する場合、上記ビデオプリンタでは、入力されたビデオ信号から得られた画像データ列のデータ量を指定された拡大倍率に応じたデータ量に増やすために、任意の補間処理が行われる。そして、画像の拡大倍率に応じてデータ量が増やされた画像データがサーマルヘッドに転送され、上記サーマルヘッドにより拡大画像が受像紙に印画される。
【０００３】
ここで、上述のような補間処理を行うために、ビデオプリンタは、０次ホールド補間を行う補間演算処理回路、及び曲線補間を行う補間演算処理回路等を備えている。
【０００４】
０次ホールド補間を行う補間演算回路（以下、０次ホールド補間回路と言う。）は、図１３に示すように、拡大率をｎとして、サンプリング点（ｐ−１），ｐ，（ｐ＋１），・・・の画像データＤｐ−１，Ｄｐ，Ｄｐ＋１，・・・を各々ｎ回利用して、サンプリング点（ｐ−１），ｐ，（ｐ＋１），・・・間の各々（ｎ−１）個の補間データａｐ−１（＝Ｄｐ−１），ａｐ（＝Ｄｐ），ａｐ＋１（＝Ｄｐ＋１），・・・を得るものである。例えば、拡大率ｎ＝３の場合、０次ホールド補間演算回路により、画像データＤｐ−１，Ｄｐ，Ｄｐ＋１，・・・は、画像データＤｐ−１，Ｄｐ−１，Ｄｐ−１，Ｄｐ，Ｄｐ，Ｄｐ，Ｄｐ＋１，Ｄｐ＋１，Ｄｐ＋１，・・・に変換される。
【０００５】
一方、曲線補間を行う補間演算回路（以下、曲線補間回路と言う。）は、例えば、拡大率ｎ＝２の場合、図１４に示すように、求めるべき点の前後各２点のサンプリング点（ｐ−１），ｐ，（ｐ＋１），（ｐ＋２）の画像データＤp-1，Ｄp，Ｄp+1，Ｄp+2を結ぶ３次曲線Ｓ（ｎ）を求めて、その３次曲線Ｓ（ｎ）上の点、サンプリング点（ｐ＋０．５）の画像データａp+0.5を補間データとするものである。
【０００６】
【発明が解決しようとする課題】
しかし、従来のビデオプリンタは、上述したような０次ホールド補間回路や曲線補間回路等の複数種類の補間演算回路を備えているが、実際に補間処理を行う際には、一処理につき１種類の補間演算回路のみが用いられていた。このため、拡大倍率が高くなるに従って、各々の補間演算回路の欠点が強調されていくという問題があった。
【０００７】
例えば、上記図１３に示したような０次ホールド補間を行う０次ホールド補間回路は、画像データの値が直線的に変化ある空間距離の間、その値を保持し、階段状に変化すると仮定して補間データを求めるが、実際の画像データは、階段状には変化しない。このため、０次ホールド補間回路で得られた画像データと実際の画像データに誤差が生じてしまう。したがって、文字のように輪郭の比較的はっきりした画像に対しては、視覚的な画像の劣化が目立たない画像を得ることができるが、人の肌等の濃度の変化が比較的緩やかな画像に対しては、同一濃度の画像データが連続して発生してしまうため、得られた画像は、視覚的に不自然なものとなってしまう。特に、拡大倍率が高い場合には、同一濃度の画像データが増大して発生するため、視覚的にさらに不自然な画像となってしまう。
【０００８】
一方、上記図１４に示したような曲線補間を行う曲線補間回路のように、高次の曲線で画像データの近似曲線を得るようにした場合、上述した０次ホールド補間回路とは逆に、人の肌等の濃度の変化が比較的緩やかな画像に対しては、隣接する画像データ間の中間値を取ることにより、視覚的な画像の劣化が目立たない画像を得ることができるが、文字のように輪郭の比較的はっきりした画像に対しては、演算による予測値からなる画像データが増えることにより、例えば、文字と背景の境界が曖昧になり、視覚的にぼけた印象の画像となってしまう。この曲線補間回路においても０次ホールド補間回路と同様に、特に、拡大倍率が高い場合には、予測値からなる画像データが増大して発生するため、視覚的にさらにぼけた印象の画像となってしまう。
【０００９】
そこで、本発明は、上述の如き従来の実情に鑑みてなされたものであり、次のような目的を有するものである。
【００１０】
即ち、本発明の目的は、高い拡大倍率を指定された場合でも、視覚的に高画質の拡大画像を出力するビデオプリンタ及び補間処理方法を提供することにある。
【００１１】
【課題を解決するための手段】
上述の課題を解決するために、本発明に係るビデオプリンタは、入力画像信号を記憶する記憶手段と、上記記憶手段に記憶された画像信号に対して補間処理を施す補間手段と、ｎ×ｍ倍の拡大倍率を指定する倍率指定手段と、上記倍率指定手段からの指定拡大倍率情報に基づいて上記補間手段における補間処理を制御する制御手段と、上記補間手段で補間処理が施された画像信号を記録媒体に印画する印画手段とを備え、上記補間手段は、０次ホールド補間により補間演算を行う第１の補間演算手段と、３次曲線により補間演算を行う第２の補間演算手段とを備え、上記制御手段は、上記記憶手段に記憶された画像信号に対して上記第１の補間演算手段によりｎ倍の補間演算処理を施し、その結果に対して、上記第２の補間演算手段によりｍ倍の補間演算処理を施して上記倍率指定手段で指定されたｎ×ｍ倍の拡大倍率の画像信号を得るように上記補間手段を制御することを特徴とする。
また、本発明に係るビデオプリンタは、入力画像信号を記憶する記憶手段と、上記記憶手段に記憶された画像信号に対して補間処理を施す補間手段と、ｎ×ｍ倍の拡大倍率を指定する倍率指定手段と、上記倍率指定手段からの指定拡大倍率情報に基づいて上記補間手段における補間処理を制御する制御手段と、上記補間手段で補間処理が施された画像信号を記録媒体に印画する印画手段とを備え、上記補間手段は、０次ホールド補間により補間演算を行う第１の補間演算手段と、３次曲線により補間演算を行う第２の補間演算手段とを備え、上記制御手段は、上記記憶手段に記憶された画像信号に対して上記第２の補間演算手段によりｎ倍の補間演算処理を施し、その結果に対して、上記第１の補間演算手段によりｍ倍の補間演算処理を施して上記倍率指定手段で指定されたｎ×ｍ倍の拡大倍率の画像信号を得るように上記補間手段を制御することを特徴とする。
【００１２】
また、本発明は、入力画像信号をｎ×ｍ倍の拡大倍率に拡大するための補間処理方法であって、上記入力画像信号を０次ホールド補間によりｎ倍の補間演算を行う第１の補間演算処理工程と、上記第１の補間演算処理工程の演算結果に対して、３次曲線によりｍ倍の補間演算を行う第２の補間演算処理工程とを備え、上記第１の補間演算処理工程と上記第２の補間演算処理工程とにより上記入力画像信号をｎ×ｍ倍の拡大倍率に拡大することを特徴とする。
さらに、本発明は、入力画像信号をｎ×ｍ倍の拡大倍率に拡大するための補間処理方法であって、上記入力画像信号を３次曲線によりｎ倍の補間演算を行う第１の補間演算処理工程と、上記第１の補間演算処理工程の演算結果に対して、０次ホールド補間によりｍ倍の補間演算を行う第２の補間演算処理工程とを備え、上記第１の補間演算処理工程と上記第２の補間演算処理工程とにより上記入力画像信号をｎ×ｍ倍の拡大倍率に拡大することを特徴とする。
【００１３】
【発明の実施の形態】
以下、発明の実施の形態について、図面を参照して詳細に説明する。
【００１４】
本発明は、図１〜図３に示すような構成のビデオプリンタに適用される。
【００１５】
まず、このビデオプリンタ１００は、上記図１に示すように、サーマル転写方式を用いたものであり、装置本体１０１と、装置本体１０１の前面に各々設けられた操作部１０２と排出部１０３と、排出部１０３に隣接して開閉自在に設けられたカバー１０４とを備えている。また、図示していないが、装置本体１０１内部には、受像紙トレイ、印写ドラム、インク紙カートリッジ、及びサーマルヘッド等が設けられている。
【００１６】
操作部１０２は、電源ONスイッチ、拡大倍率や縮小倍率を指定するためのスイッチ、及び画像の濃度階調等を調節するためのスイッチ等の複数種類の操作スイッチからなる。このような操作部１０２を用いて、使用者は、印画する際に必要な各種操作を行うことができるようになされている。
【００１７】
印画するための受像紙は、カバー１０４を開けて上述した受像紙トレイにセットすることができるようになされている。そして、排出部１０２からは、上記図１（ｂ）に示すように、印画された受像紙２００が排出されるようになされている。
【００１８】
また、ビデオプリンタ１００は、装置本体１０１内部に上記図２に示すような信号処理系３００を備えている。
【００１９】
この信号処理系３００は、ビデオ信号が入力端子Ｉinを介して供給されるアナログ／ディジタル（Ａ／Ｄ）変換器３０１と、Ａ／Ｄ変換器３０１の出力が供給されるメモリ制御回路３０２と、メモリ制御回路３０２の出力が供給されると共にメモリ制御回路３０２に対してデータを出力する画像メモリ３０３と、メモリ制御回路３０２の出力が供給される補間処理回路０４４と、上記図１（ａ），（ｂ）に示した操作部（以下、スイッチと言う。）１０２の出力が供給されるシステム制御回路３０５と、システム制御回路３０５の出力が供給される機構制御回路３０６とを備えている。
【００２０】
また、補間処理回路３０４の出力は、上述したサーマルヘッド１０５に供給され、システム制御回路３０５の出力は、補間処理回路３０４とサーマルヘッド１０５にも供給されるようになされている。さらに、機構制御回路３０６の出力は、上述した印写ドラムや受像紙を搬送するためのメカニズム等からなる機構部１０６に供給されるようになされている。
【００２１】
先ず、スイッチ１０２により、拡大倍率の指定操作等、使用者の用途に応じた操作が行われる。そして、システム制御回路３０５は、スイッチ１０２の操作に対応した動作を行うように、メモリ制御回路３０２、補間処理回路３０４、サーマルヘッド１０５、及び機構制御回路３０６を制御する。
【００２２】
すなわち、Ａ／Ｄ変換器３０１は、入力端子Ｉinを介して入力されたビデオ信号をディジタル化する。この時、メモリ制御回路３０２は、システム制御回路３０５の制御に基いて、画像メモリ３０３へのデータの書き込み動作、及び画像メモリ３０３からのデータの読み出し動作を制御する。
【００２３】
画像メモリ３０３は、例えば、半導体メモリからなり、メモリ制御回路３０２の制御に基いて、メモリ制御回路３０２を介して供給されたＡ／Ｄ変換３０１で得られたディジタル画像データを（以下、単に画像データと言う。）静止画像として一旦記憶する。
【００２４】
メモリ制御回路３０２は、画像メモリ３０３に記憶された画像データが、例えば、１垂直ライン毎に順次補間処理回路３０４に供給されるように画像メモリ３０３のデータ読み出し動作を制御する。この時、システム制御回路３０５は、受像紙の送り出し速度、すなわち記録速度と、画像メモリ３０３のデータ読み出し動作とが同期するように、メモリ制御回路３０２、サーマルヘッド１０５、及び機構制御回路３０６を各々制御する。
【００２５】
したがって、画像メモリ３０３に記憶された画像データは、受像紙の送り出し速度に同期して、メモリ制御回路３０２を介して補間処理回路３０４に対して出力される。
【００２６】
機構制御回路３０６は、システム制御回路３０５の制御に基いて、例えば、機構部１０６における上述した印写ドラムの回転速度等を制御することにより、上述したような記録速度を制御する。
【００２７】
補間処理回路３０４は、システム制御回路３０５の制御に基いて、メモリ制御回路３０２からの画像データに補間処理を施してサーマルヘッド１０５に供給する。
【００２８】
尚、補間処理回路３０４についての詳細な説明は後述する。
【００２９】
この時、例えば、受像紙トレイにセットされた受像紙と、インクを塗布したベースフィルムからなる転写紙とが上述した印写ドラムとサーマルヘッド１０５に挟まれた状態である。
【００３０】
このような状態において、上述したような機構制御回路３０６の制御により、機構部１０６の印写ドラムが回転する。
【００３１】
また、これと同時に、ラインヘッドからなるサーマルヘッド１０５は、システム制御回路３０５の制御により、補間処理回路３０４から出力される画像データの振幅に応じて印圧される。したがって、サーマルヘッド１０５は、補間処理回路３０４からの画像データに応じた熱量で発熱する。これにより、受像紙には、補間処理回路３０４で補間処理が施された画像データに基いて印画される。
【００３２】
以下、補間処理回路３０４について具体的に説明する。
【００３３】
補間処理回路３０４は、上記図３に示すように、画像メモリ３０３からの画像データに対して上記図１３に示したような０次ホールド補間を行うデータ列変換回路３０４ａと、データ列変換回路３０４ａからの画像データに対して上記図１４に示したような曲線補間を行うデータ列変換回路３０４ｂとを備えている。
【００３４】
例えば、スイッチ１０２の操作により、拡大倍率がＬ（＝ｎ×ｍ）倍に指定され、画像メモリ３０３から画像データ列Ｄａ，Ｄｂ，Ｄｃ，Ｄｄ，・・・が出力された場合、先ず、第１のデータ列変換回路３０４ａは、画像データ列Ｄａ，Ｄｂ，Ｄｃ，Ｄｄ，・・・に対してｎ倍の０次ホールド補間処理を施す。上記図３は、ｎ＝２とした場合を示しており、この場合、画像データ列Ｄａ，Ｄｂ，Ｄｃ，Ｄｄ，・・・は、画像データ列Ｄａ，Ｄａ，Ｄｂ，Ｄｂ，Ｄｃ，Ｄｃ，Ｄｄ，Ｄｄ，・・・に変換される。
【００３５】
次に、第２のデータ列変換回路３０４ｂは、第１のデータ列変換回路３０４ａで得られた画像データ列Ｄa，Ｄa，Ｄb，Ｄb，Ｄc，Ｄc，Ｄd，Ｄd，・・・に対してｍ倍の３次曲線補間処理を施す。
【００３６】
この第２のデータ列変換回路３０４ｂは、上記図３は、ｍ＝２とした場合を示しており、この場合、３次曲線補間により得られた補間データをｆ（ｘ）で示すと、画像データ列Ｄa，Ｄa，Ｄb，Ｄb，Ｄc，Ｄc，Ｄd，Ｄd，・・・は、
画像データ列  Ｄa，ｆ（Ｄa），Ｄa，ｆ（Ｄa），
Ｄb，ｆ（Ｄb），Ｄb，ｆ（Ｄb），
Ｄc，ｆ（Ｄc），Ｄc，ｆ（Ｄc），
Ｄd，ｆ（Ｄd），Ｄd，ｆ（Ｄd），・・・
に変換される。
【００３７】
上述のようにして２種類の補間処理を行う補間処理回路３０４で得られた画像データ列は、サーマルヘッド１０５に供給される。
【００３８】
ここで、サーマルヘッド１０５は、図４に示すように、例えば、１０２４個の発熱体１０５0，・・・，１０５n，・・・，１０５1023の列で構成されている。
【００３９】
また、画像メモリ３０３には、図５に示すように、飛び越し走査方式のビデオ信号、例えば、ＮＴＳＣ方式のビデオ信号が水平方向に１０２４個の画像データ列（１０２４ｐｉｘｅｌ／１Ｈ）として、１フィールド当たり２５６本（２５６ｌｉｎｅ／１Ｖ）、２フィールド分の画像データが記憶される。
【００４０】
そこで、例えば、画像メモリ３０３に記憶された１フィールド分（１０２４ｐｉｘｅｌ×２５６ｌｉｎｅ）の画像データを等倍で印画する場合、上記図４に示すように、画像メモリ３０３に記憶されたサンプリング点（ｐ−３），（ｐ−２），（ｐ−１），ｐ，（ｐ＋１），（ｐ＋２），（ｐ＋３）の画像データＤp-3，Ｄp-2，Ｄp-1，Ｄp，Ｄp+1，Ｄp+2，Ｄp+3は、サーマルヘッド１０５上の発熱体１０５n-3，１０５n-2，１０５n-1，１０５n，１０５n+1，１０５n+2，１０５n+3に１：１で対応して割り当てられる。
【００４１】
一方、画像メモリ３０３に記憶された１フィールド分（１０２４ｐｉｘｅｌ×２５６ｌｉｎｅ）の画像データを、例えば、図６に示すように、４倍に拡大して印画する場合、上述のようにして補間処理回路３０４で０次ホールド補間と３次曲線補間が行われることにより画像データのデータ量が増加され、２５６ｌｉｎｅ分の画像データが１０２４個の発熱体に割り当てられる。
【００４２】
ここで、上記図４のＳ１，Ｓ２，及びＳ３は、４倍の０次ホールド補間のみを行って得られた拡大率４倍の画像データ、４倍の３次曲線補間のみを行って得られた拡大率４倍の画像データ、及び２倍の０次ホールド補間と２倍の３次曲線補間を行って得られた拡大率４倍の画像データを示したものである。
【００４３】
まず、０次ホールド補間のみを行った場合、上記図４のＳ１に示すように、拡大率が４倍になると、印画する画像を構成する画素が見かけ上大きくなる。これは、人の顔等を印画した場合に、不自然な濃度の変化として現れることを意味する。つぎに、３次曲線補間のみを行った場合、上記図４のＳ２に示すように、拡大率が４倍になると、サーマルヘッド１０５に割り当てられる画像データ列が緩慢になっていく。これは、文字等を印画した場合に、その文字等の輪郭と背景の境界のボケとして現れることを意味する。つぎに、０次ホールド補間と３次曲線補間の両者を行った場合、上記図４のＳ３に示すように、０次ホールド補間のみを行った場合の欠点、及び３次曲線補間を行った場合の欠点が抑えられる。
【００４４】
すなわち、補間処理回路３０４で相反する特性を有する０次ホールド補間と３次曲線補間を行うことにより、０次ホールド補間の欠点と３次曲線補間の欠点が相殺され、見た目の画質の劣化を防ぐことができる。したがって、高画質の拡大画像を印画することができる。
【００４５】
また、例えば、上述した４倍の拡大率よりもさらに高い６倍の拡大率が指定された場合、図７に示すような６倍の０次ホールド補間のみを行って得られた画像データや、図８に示すような６倍の３次曲線補間のみを行って得られた画像データに対して、図９に示すような補間処理回路３０４で２倍の０次ホールド補間を行った後３倍の３次曲線補間を行って得られた画像データは、０次ホールド補間の欠点と３次曲線補間の欠点が相殺されている。したがって、このような高い拡大率が指定された場合でも、高画質の拡大画像を印画することができる。
【００４６】
尚、上述した６倍の拡大率が指定された場合において、補間処理回路３０４で２倍の０次ホールド補間を行った後３倍の３次曲線補間を行うこととしたが、図１０に示すように、３倍の０次ホールド補間を行った後２倍の３次曲線補間を行う、又は図１１に示すように、３倍の３次曲線補間を行った後２倍の０次ホールド補間を行う、又は図１２に示すように、３倍の３次曲線補間を行った後２倍の０次ホールド補間を行うこととしてもよい。
【００４７】
【発明の効果】
本発明では、記憶手段に記憶された画像信号に対して第１の補間演算手段で０次ホールド補間によりｎ倍の補間演算処理を施し、その結果に対して、第２の補間演算手段で３次曲線によりｍ倍の補間演算処理を施して倍率指定手段で指定されたｎ×ｍ倍の拡大倍率の画像信号を得る。これにより、０次ホールド補間の欠点と３次曲線補間の欠点が相殺されるため、視覚的に高画質の拡大画像を印画することができる。
【００４８】
また、本発明では、記憶手段に記憶された画像信号に対して第１の補間演算手段で０次ホールド補間によりｍ倍の補間演算処理を施し、その結果に対して、第２の補間演算手段で３次曲線によりｎ倍の補間演算処理を施して倍率指定手段で指定されたｎ×ｍ倍の拡大倍率の画像信号を得る。これにより、０次ホールド補間の欠点と３次曲線補間の欠点が相殺されるため、視覚的に高画質の拡大画像を印画することができる。
【図面の簡単な説明】
【図１】本発明に係るビデオプリンタの外観図である。
【図２】上記ビデオプリンタ内部の信号処理系の構成を示すブロック図である。
【図３】上記信号処理系の補間処理回路の構成を示すブロック図である。
【図４】サーマルヘッドの発熱体に割り当てられる画像データを説明するための図である。
【図５】画像メモリに格納される画像データを説明するための図である。
【図６】拡大率４倍の画像を印画する場合を説明するための図である。
【図７】６倍の０次ホールド補間のみで得られる拡大率６倍の画像データを説明するための図である。
【図８】６倍の曲線補間のみで得られる拡大率６倍の画像データを説明するための図である。
【図９】２倍の０次ホールド補間の後３倍の曲線補間を行って得られる拡大率６倍の画像データを説明するための図である。
【図１０】３倍の０次ホールド補間の後２倍の曲線補間を行って得られる拡大率６倍の画像データを説明するための図である。
【図１１】２倍の曲線補間の後２倍の０次ホールド補間を行って得られる拡大率６倍の画像データを説明するための図である。
【図１２】３倍の曲線補間の後２倍の０次ホールド補間を行って得られる拡大率６倍の画像データを説明するための図である。
【図１３】０次ホールド補間を説明するための図である。
【図１４】曲線補間を説明するための図である。
【符号の説明】
１０２  スイッチ
１０５  サーマルヘッド
１０６  機構部
３００  信号処理系
３０１  Ａ／Ｄ変換器
３０２  メモリ制御回路
３０３  画像メモリ
３０４  補間処理回路
３０５  システム制御回路
３０６  機構制御回路
【図１】
0003709585.tif 000002
【図２】
0003709585.tif 000003
【図３】
0003709585.tif 000004
【図４】
0003709585.tif 000005
【図５】
0003709585.tif 000006
【図６】
0003709585.tif 000007
【図７】
0003709585.tif 000008
【図８】
0003709585.tif 000009
【図９】
0003709585.tif 000010
【図１０】
0003709585.tif 000011
【図１１】
0003709585.tif 000012
【図１２】
0003709585.tif 000013
【図１３】
0003709585.tif 000014
【図１４】
0003709585.tif 000015